(57)【要約】      （修正有）【課題】自立形で移動も容易な防護ネット器具を提供する。【解決手段】防護ネット器具１は鉛直面内に配設された略長方形の第１の枠体２、第１の枠体２の左右両側部に各々水平面内で回動自在に軸支された略方形の第２、第３の枠体３、４を備えている。第２、第３の枠体３、４は鉛直面内に配設されている。第２の枠体３の下部の左右端部、第３の枠体４の下部の左右端部にキャスター５１乃至５４が設けてあり、第１の枠体２と第２の枠体３の間に開度を調節する第１の開度調節部６０、第１の枠体２と第３の枠体４の間に開度を調節する第２の開度調節部７０が設けてある。第１乃至第３の枠体２乃至４の上部２３、３３、４３に備えたクリップ８１乃至８４により、第１乃至第３の枠体２乃至４の開口面を一体的に閉塞する防護ネット部材９０が装着してある。【選択図】図１
0003207846.tif 000002
【実用新案登録請求の範囲】
【請求項１】
鉛直面内に配設された略長方形状の第１の枠体と、
第１の枠体の左右両側部に各々水平面内で回動自在に軸支された略方形状または略長方形状の第２、第３の枠体と、
を備え、
第２、第３の枠体は鉛直面内に配設されるとともに第２の枠体は右側部が第１の枠体の左側部に回動自在に軸支されており、第３の枠体は左側部が第１の枠体の右側部に回動自在に軸支されており、
少なくとも、第２の枠体下部の左端部と第３の枠体下部の右端部、第２の枠体下部の右端部または第１の枠体下部の左端部、第３の枠体下部の左端部または第１の枠体下部の右端部にキャスターを設け、
第１の枠体と第２の枠体の開度を調節する第１の開度調節部と、
第１の枠体と第３の枠体の開度を調節する第２の開度調節部と、
第１乃至第３の枠体の開口面を一体または分割して閉塞する防護ネット部材と、
を備えたことを特徴とする防護ネット器具。
【請求項２】
第１の枠体の上部中央に凹部を形成し、該凹部に刈払い機の作業者が上体を挿入可能としたこと、
を特徴とする請求項１記載の防護ネット器具。
【請求項３】
第１の枠体に取っ手を設けたこと、
を特徴とする請求項１または２記載の防護ネット器具。
【請求項４】
請求項１記載の防護ネット器具を２つ備えて上下に配設し、
２つの防護ネット器具の内、少なくとも上側の防護ネット器具のキャスターが着脱自在であり、
下側の防護ネット器具の第１の枠体乃至第３の枠体の上部の複数の連結個所と、該連結箇所に対応する上側の防護ネット器具の第１の枠体乃至第３の枠体の下部の複数の連結箇所に、上下の防護ネット器具を着脱自在に連結し、立設可能とする連結部を設けたこと、
を特徴とする防護ネット器具。
【考案の詳細な説明】
【技術分野】
【０００１】
本考案は防護ネット器具に係り、とくに道路脇や車道・歩道分離帯などの雑草を刈払い機で草刈する際に飛んだ草の断片や小石等が通行人や車両に当たらないように防護するのに好適な防護ネット器具に関する。
【背景技術】
【０００２】
従来、道路脇や車道・歩道分離帯の植栽に茂った雑草を刈払い機で草刈する際、草刈り刃の回転で飛んだ草の断片や小石等が通行人や車両に当たらないようにするため、草刈作業者の後側や前側で網戸形や暖簾形の防護ネット器具を他の作業者が持って歩くようにしており、人手の掛かる作業となっていた。
【考案の概要】
【考案が解決しようとする課題】
【０００３】
本考案は上記した従来技術の問題に鑑み、自立形で移動も容易な防護ネット器具を提供することを、その目的とする。
【課題を解決するための手段】
【０００４】
本考案の請求項１記載の防護ネット器具では、
鉛直面内に配設された略長方形状の第１の枠体と、
第１の枠体の左右両側部に各々水平面内で回動自在に軸支された略方形状または略長方形状の第２、第３の枠体と、
を備え、
第２、第３の枠体は鉛直面内に配設されるとともに第２の枠体は右側部が第１の枠体の左側部に回動自在に軸支されており、第３の枠体は左側部が第１の枠体の右側部に回動自在に軸支されており、
少なくとも、第２の枠体下部の左端部と第３の枠体下部の右端部、第２の枠体下部の右端部または第１の枠体下部の左端部、第３の枠体下部の左端部または第１の枠体下部の右端部にキャスターを設け、
第１の枠体と第２の枠体の開度を調節する第１の開度調節部と、
第１の枠体と第３の枠体の開度を調節する第２の開度調節部と、
第１乃至第３の枠体の開口面を一体または分割して閉塞する防護ネット部材と、
を備えたことを特徴としている。
請求項２記載の防護ネット器具では、第１の枠体の上部中央に凹部を形成し、該凹部に刈払い機の作業者が上体を挿入可能としたこと、
を特徴としている。
請求項３記載の防護ネット器具では、第１の枠体に取っ手を設けたこと、
を特徴としている。
請求項４記載の防護ネット器具では、請求項１記載の防護ネット器具を２つ備えて上下に配設し、
２つの防護ネット器具の内、少なくとも上側の防護ネット器具のキャスターが着脱自在であり、
下側の防護ネット器具の第１の枠体乃至第３の枠体の上部の複数の連結個所と、該連結箇所に対応する上側の防護ネット器具の第１の枠体乃至第３の枠体の下部の複数の連結箇所に、上下の防護ネット器具を着脱自在に連結し、立設可能とする連結部を設けたこと、
を特徴としている。
【考案の効果】
【０００５】
本考案によれば、防護ネット器具が自立するため作業者が手で持たなくて済む。またキャスターにより容易に移動可能なので、刈払い機を用いて草刈りをする作業者自身で作業進行方向へ移動可能である。また、第２、第３の枠体の開度を調節できるため、草刈りエリアの奥行きの広狭に合わせた防護が可能となる。
また他の考案によれば、第１の枠体の中央に草刈り作業者が上体を挿入できる凹部が設けられているので、草刈エリアの奥側や防護ネット器具近くの草刈り作業を楽に行うことができる。
また、更に他の考案によれば、２つの防護ネット器具を上下２段に組み立て可能であり、小石等の高角度での飛散を防止可能となる。
【図面の簡単な説明】
【０００６】
【図１】本考案の一実施例に係る防護ネット器具の外観斜視図である（実施例１）。
【図２】図１中の開度調節部の構成を示す断面図である。
【図３】図１中の開度調節部の作用説明図である。
【図４】図１の防護ネット器具の使用方法の説明図である。
【図５】図１の防護ネット器具の使用方法の説明図である。
【図６】図１の防護ネット器具の使用方法の説明図である。
【考案を実施するための最良の形態】
【０００７】
以下、本考案の最良の形態を実施例に基づき説明する。
【実施例１】
【０００８】
図１を参照して本考案の一実施例を説明する。図１は本考案に係る防護ネット器具の外観斜視図である。
１は自立及び横移動自在形の防護ネット器具であり、この内、２は鉛直面内に配設された略長方形状のパイプフレーム構造の第１の枠体、３と４は第１の枠体２の左右両側部２１、２２に各々水平面内で回動自在に軸支された略方形のパイプフレーム構造の第２、第３の枠体である。第１の枠体２は、両側が大サイズの長方形状、真ん中が一段低い小サイズの長方形状からなる３つのマス目状に形成されている。第１の枠体２の上部２３の中央部分には、刈払い機の作業者が上体を挿入可能な凹部２３Ａが設けられており、凹部２３Ａの左右両側の少し下方に取っ手２４、２５が装着されている。
第２、第３の枠体３、４は鉛直面内に配設されるとともに第２の枠体３は右側部３２がヒンジ３５乃至３７により第１の枠体２の左側部２１に回動自在に軸支されており、第３の枠体４は左側部４１がヒンジ４５乃至４７により第１の枠体２の右側部２２に回動自在に軸支されている。
【０００９】
第２の枠体３の左側部３１は上下に突設されて連結部としての突設部３１Ａ、３１Ｂが形成されており、下側の突設部３１Ｂは上側の突設部３１Ａより一回り径が細く、上側の突設部３１Ａの中に他の防護ネット器具１の下側の突設部３１Ｂを嵌脱自在に装着可能となっている。第２の枠体３の右側部３２は上下に突設されて突設部３２Ａ、３２Ｂが形成されており、下側の突設部３２Ｂは上側の突設部３２Ａより一回り径が細く、上側の突設部３２Ａの中に他の防護ネット器具１の下側の突設部３２Ａを嵌脱自在に装着可能となっている。
第３の枠体４の左側部４１は上下に突設されて連結部としての突設部４１Ａ、４１Ｂが形成されており、下側の突設部４１Ｂは上側の突設部４１Ａより一回り径が細く、上側の突設部４１Ａの中に他の防護ネット器具１の下側の突設部４１Ａを嵌脱自在に装着可能となっている。第３の枠体４の右側部４２は上下に突設されて突設部４２Ａ、４２Ｂが形成されており、下側の突設部４２Ｂは上側の突設部４２Ａより一回り径が細く、上側の突設部４２Ａの中に他の防護ネット器具１の下側の突設部４２Ａを嵌脱自在に装着可能となっている。
各下側の突設部３１Ｂ、３２Ｂ、４１Ｂ、４２Ｂにはキャスター５１乃至５４が着脱自在に装備されている。
【００１０】
なお、第２の枠体３の右側部３２の上下を突設させる代わりに、第１の枠体２の左側部２１の上下を突設させて突設部とし、下側の突設部を上側の突設部より一回り径を細くし、上側の突設部の中に他の防護ネット器具の下側の突設部を嵌脱自在に装着可能とし、下側の突設部にキャスターを着脱自在に装着可能とし、同様に、第３の枠体４の左側部４１の上下を突設させる代わりに、第１の枠体２の右側部２２の上下を突設させて突設部とし、下側の突設部を上側の突設部より一回り径を細くし、上側の突設部の中に他の防護ネット器具の下側の突設部を嵌脱自在に装着可能とし、下側の突設部にキャスターを着脱自在に装着可能としても良い。
【００１１】
第１の枠体２の上部２３の左端部と第２の枠体３の上部３３の中央より右側の間に開度調節部６０が設けられており、第１の枠体２に対する水平面内での第２の枠体３の開度を多段階で変更可能になっている。開度調節部６０は図２（１）に示す如く、細長い板状の固定板６１、固定板６１の右端部に穿設された透孔６１Ａを通して固定板６１の右端部を第１の枠体２の上部２３の左端部に形成されたネジ孔（図示せず）に着脱自在に螺合してネジ止めする止めネジ６２、固定板６１の長手方向中央より左側の３か所に穿設された３つの透孔６１Ｂ乃至６１Ｄの１つに択一的に通して固定板６１の左側を第２の枠体３の上部３３の途中に形成されたネジ孔（図示せず）に着脱自在に螺合してネジ止めする止めネジ６３から成る（図２（１）参照）。止めネジ６３を３つの透孔６１Ｂ乃至６１Ｄの内、一番外側の６１Ｂに通して止めれば開度が一番大きくなり、一番内側の６１Ｄに通して止めれば開度が一番小さくなり、真ん中の６１Ｃに通して止めれば中間の開度となる（図３の左側部分３ｂ、３ｄ、３ｃ参照）。
【００１２】
同様に、第１の枠体２の上部２３の右端部と第３の枠体４の上部４３の中央より左側の間に開度調節部７０が設けられており、第１の枠体２に対する水平面内での第３の枠体４の開度を多段階で変更可能になっている。開度調節部７０は細長い板状の固定板７１、固定板７１の左端部に穿設された透孔７１Ａを通して固定板７１の右端部を第１の枠体２の上部２３の右端部に形成されたネジ孔（図示せず）に着脱自在に螺合してネジ止めする止めネジ７２、固定板７１の長手方向中央より右側の３か所に穿設された３つの透孔７１Ｂ乃至７１Ｄの１つに択一的に通して固定板７１の右側を第３の枠体４の上部の途中に形成されたネジ孔（図示せず）に着脱自在に螺合してネジ止めする止めネジ７３から成る（図２（２）参照）。止めネジ７３を３つの透孔７１Ｂ乃至７１Ｄの内、一番外側の７１Ｂに通して止めれば開度が一番大きくなり、一番内側の７１Ｄに通して止めれば開度が一番小さくなり、真ん中の７１Ｃに通して止めれば中間の開度となる（図３の右側部分の４ｂ、４ｄ、４ｃ参照）。
【００１３】
第２の枠体３の上部３３、第１の枠体２の上部２３の内、凹部２３の左右両側、第３の枠体４の上部４３に、クリップ８１乃至８４が装備されており、これらのクリップ８１乃至８４により第２の枠体３、第１の枠体２、第３の枠体４で各々囲まれた開口面を一括して閉塞する防護ネット９０が着脱自在に吊持されている。なお、各枠体毎に別個の防護ネットで開口面を塞ぐようにしても良く、この場合、枠体に防護ネットを着脱自在に設けても良く、着脱不能に設けても良い。
【００１４】
次に、上記した防護ネット器具１の使用方法を説明する。
例えば図４（１）に示す道路１００の脇の奥域の広い草刈りエリアＫ１の草刈りをしたい場合、まず第１の枠体２が道路１００の端縁に沿うように防護ネット器具１を自立させる。次に、開度調節部６０、７０の止めネジ６２、７２を固定板６１、７２に穿設された透孔６１Ａ、７１Ａに通して第１の枠体２の上部２３の左端部のネジ孔（図示せず）と右端部のネジ孔（図示せず）にネジ止めし、止めネジ６３、７３を透孔６１Ｄ、７１Ｄに通して第２の枠体３の上部３３のネジ孔（図示せず）と第３の枠体４の上部４３のネジ孔（図示せず）にネジ止めする。これにより、第１の枠体２に対する第２、第３の枠体３、４の開度が小さくなり、第２、第３の枠体３、４の左側部３１、右側部４２を第１の枠体２の法線方向へ第１の枠体２から大きく離して配設させることができる。最後に、クリップ８１乃至８４に防護シート９０を吊持させて第１乃至第３の枠体２乃至４の開口面を覆い閉塞する。
【００１５】
草刈の作業者Ａは、第１の枠体２の凹部２３Ａの手前に立ち、刈払い機Ｂを凹部２３Ａから第１の枠体２の奥側に差し入れて始動し、草刈りエリアＫ１の草刈りを行う。この際、凹部２３Ａに上体を挿入することで、防護ネット器具１の近くや草刈りエリアＫ１の奥の方も容易に草刈りできる。回転刃で跳ねた小石や刈り草の断片が飛んでも防護ネット器具１により道路１００の側への飛散が防止されるので、歩行者や車両に当たる恐れはない。現在の防護ネット器具１の位置での草刈りが終わったら、作業者Ａは取っ手２４、２５を手で持つか、凹部２３Ａを肘で押したりして、防護ネット器具１を道路１００に沿って約第１の枠体２の長さ分だけ横移動し（図４（１）の破線１ａ参照）、次の草刈を行う。以下、同様の作業を繰り返す。
【００１６】
若し図４（２）に示す如く、道路１００の脇の奥域の狭い草刈りエリアＫ２の草刈りをしたい場合は、開度調節部６０、７０の止めネジ６３、７３を固定板６１、７２に穿設された透孔６１Ｂまたは６１Ｃ、７１Ｂまたは７１Ｃに通して第２の枠体３の上部３３のネジ孔（図示せず）と第３の枠体４の上部４３のネジ孔（図示せず）にネジ止めする。これにより、第１の枠体２に対する第２、第３の枠体３、４の開度が大きくなり、第１の枠体２の法線方向に見た第２、第３の枠体３、４の左側部３１、右側部４２と第１の枠体２との距離を小さくすることができる。
【００１７】
草刈り作業が終わったら、クリップ８１乃至８４から防護ネット９０を外し、第１乃至第３の枠体２乃至４から開度調節部６０、７０を外し、第２の枠体３を回動して第１の枠体２の上に重ね第３の枠体４を回動して第１の枠体２の上に重ねて折り畳み状態とすれば良い（図３の符号３ｅ、４ｅ参照）。
【００１８】
なお、防護ネット器具１を草刈りエリアの奥側に立て草刈りする場合、防護ネット器具１を２つ用意し、上下２段に組み立てることで、奥側の後方への高角度での小石等の飛散を防止することができる。具体的には、図５に示す如く、上側の防護ネット器具１Ａのキャスター８１乃至８４を全て外し、上下の防護ネット器具１Ａ、１Ｂの第２の枠体３の開度を互いに同一とし、第３の枠体４の開度を互いに同一とする。そして、上側の防護ネット器具１Ａの第２の枠体３の下側突設部３１Ｂ、３２Ｂを下側の防護ネット器具１Ｂの第２の枠体３の上側突設部３１Ａ、３２Ａに差し込んで嵌着し、上側の防護ネット器具１Ａの第３の枠体４の下側突設部４１Ｂ、４２Ｂを下側の防護ネット器具１Ｂの第３の枠体４の上側突設部４１Ａ、４２Ａに差し込んで嵌着する（図６参照）。
【００１９】
この実施例によれば、防護ネット器具１が自立するため作業者が手で持たなくて済む。またキャスター８１乃至８４により容易に移動可能なので、刈払い機Ｂを用いて草刈りをする作業者Ａ自身で作業進行方向へ移動可能である。また、第２、第３の枠体３、４の開度を調節できるため、草刈りエリアの奥行きの広狭に合わせた防護が可能となる。
また第１の枠体２の中央に草刈り作業者Ａが上体を挿入できる凹部２３Ａが設けられているので、草刈エリアの奥側や防護ネット器具１の近くの草刈り作業を楽に行うことができる。
また、２つの防護ネット器具１Ａ、１Ｂを上下２段に組み立て可能であり、小石等の高角度での飛散も防止可能となる。
【産業上の利用可能性】
【００２０】
本考案は、刈払い機により、道路脇、歩道と車道の間の分離帯等の草刈りを行う場合の防護器具に適用可能である。
【符号の説明】
【００２１】
１、１Ａ、１Ｂ  防護ネット器具
２  第１の枠体
３  第２の枠体
４  第３の枠体
２３Ａ  凹部
３１Ａ、３１Ｂ、３２Ａ、３２Ｂ、４１Ａ、４１Ｂ、４２Ａ、４２Ｂ  突設部
５１乃至５４  キャスター
６０、７０  開度調節部
８１乃至８４  クリップ
９０  防護ネット
【図１】
0003207846.tif 000003
【図２】
0003207846.tif 000004
【図３】
0003207846.tif 000005
【図４】
0003207846.tif 000006
【図５】
0003207846.tif 000007
【図６】
0003207846.tif 000008